(57)【要約】【課題】  近接撮影で利用するバーコード認識等の機能を容易かつ適切に実行できるカメラ付き電子機器を提供する。【解決手段】  通常距離撮影と近接撮影とが可能なカメラ２を備える携帯電話機１等に関し、カメラ２のレンズ２１のフォーカス位置を近接撮影用位置に調節した場合、バーコード認識モード等の動作モードが自動的に起動する。自動的に起動する動作モードの種類を設定可能としている。【選択図】    図９
2005136623.tif 000002
【特許請求の範囲】
【請求項１】
通常距離撮影と近接撮影とが可能なカメラを備えるカメラ付き電子機器において、
前記カメラのレンズのフォーカス位置を近接撮影用の位置に調節する近接撮影が選択された場合に、当該カメラ付き電子機器の動作モードとして、前記カメラによる近接撮影の必要がある要近接撮影モードが選択されるように連動制御する要近接撮影モード起動手段を備えることを特徴とするカメラ付き電子機器。
【請求項２】
要近接撮影モードが起動した状態で、前記要近接撮影モードの選択を解除する要近接撮影モード解除手段を備えることを特徴とする請求項１記載のカメラ付き電子機器。
【請求項３】
前記カメラのレンズのフォーカス位置を通常距離撮影用の位置に調節する通常距離撮影が選択された場合に、当該カメラ付き電子機器の動作モードとして、前記カメラによる近接撮影の必要がある要近接撮影モードの選択が解除されるように連動制御する要近接撮影モード解除手段を備えることを特徴とする請求項１又は２記載のカメラ付き電子機器。
【請求項４】
近接撮影の選択と要近接撮影モードの選択の連動関係を予め設定する連動設定手段を備えることを特徴とする請求項１又は２記載のカメラ付き電子機器。
【請求項５】
前記要近接撮影モード起動手段が前記要近接撮影モードを選択する連動制御の前に、前記近接撮影モードを含むメニュー画面を表示部に表示し、要近接撮影モードの種類を選択することを可能とするメニュー設定手段を備えることを特徴とする請求項１乃至４の何れかの請求項記載のカメラ付き電子機器。
【請求項６】
前記要近接撮影モードは、近接撮影で得られる画像に基づき情報認識を行うモードであることを特徴とする請求項１乃至６の何れかの請求項記載のカメラ付き電子機器。
【請求項７】
前記要近接撮影モードは、前記情報認識として光学文字認識又はバーコード認識を行うモードであることを特徴とする請求項７記載のカメラ付き電子機器。
【請求項８】
通常距離撮影と近接撮影とが可能なカメラ付き電子機器の動作モードの設定を行う画像処理機能起動方法であって、
前記カメラのレンズのフォーカス位置を近接撮影用の位置に調節する近接撮影が選択された場合に、当該カメラ付き電子機器の動作モードとして、前記カメラによる近接撮影の必要がある要近接撮影モードが選択、起動することを特徴とする画像処理機能起動方法。
【請求項９】
前記カメラのレンズのフォーカス位置を通常距離撮影用の位置に調節する通常距離撮影が選択された場合に、当該カメラ付き電子機器の動作モードとして、前記カメラによる近接撮影の必要がある要近接撮影モードが解除されることを特徴とする請求項１記載の画像処理機能起動方法。
【請求項１０】
通常距離撮影と近接撮影とが可能なカメラ付き電子機器の動作モードの設定を行う画像処理機能起動方法であって、
前記カメラのレンズのフォーカス位置を近接撮影用の位置に調節する近接撮影が選択された場合に、当該カメラ付き電子機器の動作モードとして、前記カメラによる近接撮影の必要がある要近接撮影モードを含む選択メニュー画面を表示し、要近接撮影モードの種類が選択されると、当該カメラ付き電子機器の動作モードとして、選択された要近接撮影モードが起動することを特徴とする画像処理機能起動方法。
【請求項１１】
前記要近接撮影モードは、近接撮影で得られる画像に基づき情報認識を行うモードであることを特徴とする請求項８乃至１０の何れかの請求項記載の画像処理機能起動方法。
【請求項１２】
前記要近接撮影モードは、前記情報認識として光学文字認識又はバーコード認識を行うモードであることを特徴とする請求項１１記載の画像処理機能起動方法。
【発明の詳細な説明】
【技術分野】
【０００１】
本発明は、カメラ付き電子機器、特に通常距離撮影と近接撮影とが可能なカメラ付き電子機器に関する。
【背景技術】
【０００２】
カメラを備えるカメラ付き電子機器として、例えばカメラ付き携帯電話機が実用化されており、かかる携帯電話機ではカメラによる近接撮影機能を利用する必要がある機能（例えばバーコード認識機能）が備えられたものがある。
【０００３】
従来のこのような携帯電話機では、通常、接写又はマクロと呼ばれる撮影であって、カメラに近接する距離の被写体の撮影（近接撮影）機能を利用する必要がある撮影画像の処理機能の実行モード（例えば、バーコード認識機能の実行モードであるバーコード認識モード）を選択する操作と、カメラの撮影モードを近接撮影モードに設定する操作の２つの操作がユーザーによってなされるように構成されている。例えば、バーコード認識モードの選択操作に基づき該モードの実現用プログラムを起動する一方で、近接撮影モードへの設定操作に基づきカメラレンズのフォーカス位置を近接撮影用の位置に調節する操作を行い、バーコード認識モードを終了し、引き続きカメラにより前記近接する距離より遠い距離の撮影（通常距離撮影）を行う場合にも、ユーザーはバーコード認識モードを選択解除する操作と、撮影モードを通常距離撮影モードに設定する操作の２つの操作を行うように構成されている。
【０００４】
以上のように、従来のカメラ付き携帯電話機においては、２つの操作を行う必要があり、実際には、それぞれの操作も一旦メニュー画面を表示させ、表示メニューの中から選択するという、それぞれ更なる２〜３の操作を必要とすることから、ユーザーの迅速な操作が困難であるのみならず、操作ミスにより的確な設定が行われない可能性も高まる。例えば、近接撮影機能の利用時に、ユーザーが近接撮影モードへの設定操作をし忘れた場合にはジャストフォーカスの撮影ができないため、誤認識の発生によりバーコード認識が適切に行われない、或いは、バーコード認識操作がエラーとして扱われてしまうといった不具合を生じる。
【０００５】
このような問題点を解決するため、本願発明の発明者と同一の発明者により近接撮影機能を利用する必要がある機能（例えばバーコード認識機能等）の実行及び通常距離撮影への移行を容易になし得るとともに、該機能の適切な実行を確実に行えるようなカメラ付き電子機器、フォーカス位置調節制御方法等に係る発明を既に出願している（特願２００３−１０１４５６号：先願）。
【０００６】
前記先願に係る発明では、通常距離撮影と近接撮影とが可能なカメラを備えるカメラ付き電子機器において、当該カメラ付き電子機器の動作モードとして、前記カメラによる近接撮影の必要がある画像処理機能である要近接撮影モード（例えば、光学文字認識（ＯＣＲ：Optical Character Recognition）、バーコード認識、或いは、その他の情報認識（例えば、図形、物体の形状、色等の認識）を行うモード）が選択された場合に、前記カメラのレンズのフォーカス位置を近接撮影用の位置に調節する制御を行うフォーカス位置調節制御手段を備えることを特徴としており、先願発明の処理動作としては、要近接撮影モードの選択時に、例えば動作モードとしてバーコード認識モードが選択された場合に、選択時並行処理用プログラムを使用することにより、バーコード認識用プログラムの起動と、選択時フォーカス位置調節用プログラムの実行と、を並行して行わせるものである。
【発明の開示】
【発明が解決しようとする課題】
【０００７】
前述の先願発明では、近接撮影モードの選択時にＯＣＲ等の機能プログラムが自動的に起動するものであり、操作性の向上が図れ極めて便利であるが、ＯＣＲ等の機能は近接撮影モードに限られるものではなく、大文字の文章等を対象とする場合には通常距離撮影モードでも利用したい場合があり、かかる場合にはＯＣＲ等の機能プログラムが利用できないという難点があり、また、この場合異なる操作でＯＣＲ等の機能プログラムを起動するという煩雑な操作が必要となる。
【０００８】
また、先願発明では近接撮影と機能プログラムとは常に固定した関係にあり、近接撮影で使用する機能の選択の余地が少なく利便性においても難点がある。
（目的）
そこで本発明の目的は、かかる課題を解決するものであり、かかる操作性の向上を図ったカメラ付き電子機器及びその機能選択制御方法を提供することにある。
【０００９】
本発明の他の目的は、カメラレンズのフォーカス位置の切り替えスイッチの選択制御を先行させて要近接撮影モードのプログラムの起動を行うことにより、操作性の向上を図るようにしたカメラ付き電子機器及びその機能選択制御方法を提供することにある。
【００１０】
本発明の他の目的は、近接撮影で連動して使用する機能の選択を可能としたカメラ付き電子機器及びその機能選択制御方法を提供することにある。  
【課題を解決するための手段】
【００１１】
本発明のカメラ付き電子機器は、通常距離撮影と近接撮影とが可能なカメラを備えるカメラ付き電子機器において、前記カメラのレンズのフォーカス位置を近接撮影用の位置に調節した場合に、動作モードとして、近接撮影の必要がある要近接撮影モードが選択されるように連動制御する要近接撮影モード起動手段を備える。また、要近接撮影モードが起動した状態で、前記要近接撮影モードの選択を解除する要近接撮影モード解除手段を備えることを特徴とする。更に、前記カメラのレンズのフォーカス位置を通常距離撮影用の位置に調節した場合に、当該カメラ付き電子機器の動作モードとして、前記カメラによる近接撮影の必要がある要近接撮影モードの選択が解除されるように連動制御する要近接撮影モード解除手段を備える。
【００１２】
また、近接撮影の選択と要近接撮影モードの選択の連動関係を予め設定する連動設定手段を備え、更に、前記要近接撮影モード起動手段が前記要近接撮影モードを選択する連動制御の前に、前記近接撮影モードを含むメニュー画面を表示部に表示し、要近接撮影モードの種類を選択するメニュー設定手段を備える。
【００１３】
本発明の画像処理機能起動方法は、通常距離撮影と近接撮影とが可能なカメラ付き電子機器の動作モードの設定を行う画像処理機能起動方法であって、前記カメラのレンズのフォーカス位置を近接撮影用の位置に調節した場合に、動作モードとして、前記カメラによる近接撮影の必要がある要近接撮影モードが選択、起動することを特徴とする。また、前記カメラのレンズのフォーカス位置を通常距離撮影用の位置に調節した場合に、当該カメラ付き電子機器の動作モードとして、前記カメラによる近接撮影の必要がある要近接撮影モードが解除されることを特徴とする。
【００１４】
また、本発明の画像処理機能起動方法は、通常距離撮影と近接撮影とが可能なカメラ付き電子機器の動作モードの設定を行う画像処理機能起動方法であって、前記カメラのレンズのフォーカス位置を近接撮影用の位置に調節した場合に、動作モードとして、前記カメラによる近接撮影の必要がある要近接撮影モードを含む選択メニュー画面を表示し、要近接撮影モードの種類が選択されると、当該カメラ付き電子機器の動作モードとして、選択された要近接撮影モードが起動することを特徴とする。
【００１５】
上記各発明の前記要近接撮影モードは、近接撮影で得られる画像に基づき情報認識を行うモードであり、特に、光学文字認識又はバーコード認識を行うモードであることを特徴とする。  
【発明の効果】
【００１６】
本発明によれば、動作モードとしてレンズを近接撮影のフォーカス位置に選択した場合には、光学文字認識（ＯＣＲ）、バーコード認識、その他の情報認識（例えば、図形、物体の形状、色等の認識）を行うモード等の要近接撮影モードに自動的に切り替わるので、ユーザーは、近接撮影のフォーカス位置の選択操作を行うだけで、要近接撮影モードの機能を適切に実行できる状態へとカメラ付き電子機器の状態を移行させることができる。つまり、要近接撮影モードに設定する操作を必要としないので、操作が簡単・迅速になる。従って、要近接撮影モードへの設定操作のし忘れに起因する問題、具体的には、例えば、誤認識の発生によりバーコード認識が適切に行われない、或いは、バーコード認識操作がエラーとして扱われてしまうといった問題は発生しない。
【００１７】
また、本発明によれば、近接撮影において要近接撮影モードが解除された場合には、ユーザーは通常の近接撮影が適切に行える状態へとカメラ付き電子機器の状態を移行させることができる。
【００１８】
また、要近接撮影モードで通常距離撮影に切り替えるだけで要近接撮影モードが解除され、通常距離撮影を適切に行える状態へとカメラ付き電子機器の状態を移行させることができる。つまり、撮影モードを通常距離撮影モードに設定する操作を必要としないので、要近接撮影モードの解除操作が簡単・迅速になる。従って、通常距離撮影モードへの設定操作のし忘れに起因する問題、具体的には、通常距離での撮影時にジャストフォーカスの撮影ができない等といった問題は発生しない。
【００１９】
更に、本発明では、近接撮影の選択と要近接撮影モードの選択の連動関係を予め設定する連動設定を行うように構成したことにより、近接撮影で自動的に起動する機能を予め設定することが可能であり、更に、近接撮影で要近接撮影モードを選択する連動制御の前に、前記近接撮影モードを含むメニュー画面を表示部に表示し、要近接撮影モードの種類を選択することを可能とするメニュー設定を行うように構成したことにより、近接撮影時に自動的に起動する要近接撮影モードの種類をその都度選択することが可能である。
【発明を実施するための最良の形態】
【００２０】
本発明に係る第１の実施の形態について説明する。本実施の形態では、本発明に係るカメラ付き電子機器の適例としての携帯電話機について説明する。
【００２１】
先ず、本実施の形態の携帯電話機の外観構成を説明する。  
図１乃至図２に示すように、本実施の形態に係る携帯電話機１では、ほぼ直方体形状の第１の筐体１Ａと、第１の筐体１Ａと同様の直方体形状の第２の筐体１Ｂと、第１の筐体１Ａと第２の筐体１Ｂとを相互に回動自在に結合するヒンジ機構１Ｃと、からなり、第１の筐体１Ａと第２の筐体１Ｂとを折り畳み可能に構成されている。
【００２２】
このような携帯電話機１は、撮影用のカメラ２と、該カメラ２による撮影操作、電子メールの作成操作および通話操作等の各種操作をユーザーが行うための操作部３と、カメラ２による撮影結果やその他の表示を行うための表示部４と、当該携帯電話機１と携帯電話用基地局との間で無線信号を送受信するためのアンテナ５と、通話の際に音声を検出する送話部６と相手方からの音声を発音する受話部７を前面側に、カメラ２を背面側に、制御装置８（図３）を内部に、それぞれ備えている。
【００２３】
次に、本実施の形態に係る携帯電話機の制御構成を説明する。  
図３は、本実施の形態の機能ブロック構成を示す図である。操作部３と、制御装置８と、カメラ２と、表示部４と、アンテナ５と、送話部６と、受話部７等を備える。
【００２４】
本実施の形態に係る携帯電話機１は、通話機能、電子メールの送受信機能等の外に、カメラ２による撮影機能として、人物、景色等の被写体の距離（通常距離）の撮影に適した撮影（「通常距離撮影」という。）機能の他に、文章等、通常距離撮影の被写体より近い距離の撮影に適した撮影（「近接撮影」という。）機能と、近接撮影を利用する必要がある画像処理機能（「要近接撮影モード」という。）と、を備えている。ここで、要近接撮影モードとしては、例えば、光学文字認識（ＯＣＲ）、バーコード認識、その他の図形、物体の形状、色等の認識等、撮影画像から情報認識を行うモードである。  
以下、本実施の形態の要近接撮影モードについてバーコード認識を例として以下説明する。
【００２５】
携帯電話機１のカメラ２は、通常距離撮影と近接撮影とを可能とするために、前記カメラのレンズのフォーカス位置を通常距離撮影用及び近接撮影用の位置に調節することが可能であり、この切り替えは、スイッチによる切り替え操作により制御プログラムにより実行するように構成される。
【００２６】
図４は、カメラ２の具体的な構成を示す図である。レンズ２１を保持した回転筒２４と、被写体の光学像の受光及び検出を行う受光素子２２を内蔵し、携帯電話機１の本体に固定されたカメラ本体部２３と、からなり、カメラ本体部２３と回転筒２４とは、光軸方向に軸方向が略一致する螺旋形状のカム２６とカム溝２７とにより相互に係合し連結された構造をなし、カメラ本体部２３に対して回転筒２４がその軸周りに回転駆動されると、回転筒２４がカメラ本体部２３に対して光軸方向に前後移動する。
【００２７】
レンズ２１の前後移動の駆動用に、カム２６とカム溝２７を相対的に回転駆動させるレンズアクチュエータ２５（図３）を別途備え、レンズアクチュエータ２５により、レンズ２１を光軸方向に引き出すとフォーカス位置が近接撮影用の位置（近接撮影用位置）へと変化し（図４（ｂ））。逆に、レンズ２１を光軸方向に引き込むとフォーカス位置が通常距離撮影用の位置（通常距離撮影用位置）へと変化する（図４（ａ））。
【００２８】
操作部３は、ユーザーに操作される操作スイッチを複数備え、これら操作スイッチのそれぞれには、当該携帯電話機１が有する複数の機能のうちいずれかが対応付けた構成が採用できる。この場合、携帯電話機１は、いずれかの操作スイッチがユーザーにより押圧操作されると、該操作された操作スイッチに対応付けられた機能が（後述するように制御装置８による制御で）働くように構成される。
【００２９】
すなわち、図２に示すように、操作部３は、各種の設定を行うための設定機能スイッチ３１、撮影が可能となる撮影モードを動作モードとして選択するための撮影モード選択スイッチ３４、撮影モードにおいて通常距離撮影を選択するための通常距離撮影選択スイッチ３５、撮影モードにおいて近接撮影を選択するための近接撮影選択スイッチ３６、バーコード認識モードにおいてバーコード読み取りを実行するためのバーコード読取スイッチ３１１、その他、文字入力、数字入力用の複数の数字キー、着信及び発信の際に通話状態への移行を行うための通話キー、送信用電子メールの作成に関する機能スイッチ、電源のＯＮ／ＯＦＦを行うための電源スイッチ等を備える。
【００３０】
制御装置８は、ＣＰＵ（Central Processing Unit）８１、ＲＯＭ（Read Only Memory）８２、ＲＡＭ（Random Access Memory）８３等を備える。
【００３１】
このうち、ＣＰＵ８１は、演算部、制御部を備え、ＲＯＭ８２に記憶されている各プログラムを実行することにより、各種演算の他、レンズアクチュエータ２５、表示部４及び受話部７等の動作制御を行う。
【００３２】
ＲＯＭ（記憶媒体）８２は、ＣＰＵ８１による演算用及び制御用のデータ（例えば、各プログラムの実行の際における表示部４での表示画像データ等）や、演算用および制御用のプログラム等を記憶している。
【００３３】
図５は、ＲＯＭ内に格納されたプログラムの種類を示す図である。同図に示すように、本実施の形態のＲＯＭには、バーコード認識用プログラム（要近接撮影モード用プログラム）８２１、近接撮影フォーカスプログラム８２２、通常距離撮影用フォーカスプログラム８２３等が含まれている。
【００３４】
また、近接撮影用フォーカスプログラム８２２は、動作モードとしてバーコード認識モードが選択された場合にレンズ２１のフォーカス位置を近接撮影用位置に調節する制御を実現させるのに必要なプログラムである。通常距離撮影用フォーカスプログラム８２３は、バーコード認識モードが解除された場合に、レンズ２１のフォーカス位置を通常距離撮影用位置に調節する制御を実現させるのに必要なプログラムである。
【００３５】
ＲＡＭ８３は、ＣＰＵ８１がプログラムを実行する際に各種データを一時的に記憶する記憶領域、ユーザーの操作に基づきＣＰＵ８１にて生成されたデータ（例えば、カメラ２により撮影された撮影画像、バーコード認識で認識した画像データ）、受信メールのデータ等を記憶する記憶領域、並びに、ＣＰＵ８１の作業領域等を備えている。
【００３６】
また、ＣＰＵ８１には、操作部３の前記各スイッチ、受光素子２２、アンテナ５及び送話部６等からの検出信号が入力され、該入力に基づいて各種のプログラムの起動・実行等の処理を行う。
【００３７】
特に、本実施の形態では、ＣＰＵ８１は、ＲＯＭに格納したプログラムの内容に応じて、カメラ４のレンズアクチュエータ２５、撮影画像の解析処理、処理結果の画像データをＲＡＭ８３に記憶し、表示部４に表示する等の制御を実行する。
【００３８】
例えば、撮影モード選択スイッチ３２からの信号が入力されると、ＣＰＵ８１は、携帯電話機１の動作モードを撮影モードに移行させる処理を行う。そして、撮影モードにおいては、ＣＰＵ８１は、受光素子２２からの検出信号に基づき、例えば、表示部４に画像表示を行わせる処理を行う。また、撮影モードにおいて、通常距離撮影選択スイッチ３３からの信号が入力されると、ＣＰＵ８１は、レンズアクチュエータ２５の駆動制御を行ってレンズ２１のフォーカス位置を通常距離撮影用の位置に調節する制御を行う。
【００３９】
また、撮影モードにおいて、通常距離撮影選択スイッチ３３からの信号が入力されると、ＣＰＵ８１は、通常距離撮影用フォーカスプログラム８２４の実行を行うとともに、バーコード認識用プログラム８２１を終了（ＲＡＭ８３の作業領域から消去）する。すなわち、ＣＰＵ８１は、通常距離撮影用フォーカスプログラム８２４に従ってレンズアクチュエータ２５を駆動制御することにより、カメラ２のレンズ２１のフォーカス位置を通常距離撮影用位置に調節するとともに、バーコード認識モードを終了させる。
【００４０】
以上の処理は、ＲＯＭ内に更にそれぞれの処理を並列処理又は順次処理を行うプログラムを格納することにより、それぞれフォーカスの制御及びバーコード認識のモード起動を並列に処理し、又はフォーカスの制御及びバーコード認識のモード起動を順次に処理するように構成することが可能である。
【００４１】
そして、近接撮影選択スイッチ３４の操作後は、ユーザーがバーコード読取スイッチ３５を操作することにより、ＣＰＵ８１は、当該スイッチ３５から信号を入力し、バーコードの読み取り処理、すなわち、受光素子２２で検出した光学像から情報認識を行い、認識した結果である画像データをＲＡＭ８３に記憶させ、表示する処理等を行う。
【００４２】
その他の機能選択の操作スイッチからの入力も同様にＲＯＭ内に対応するそれぞれの処理プログラムを予め格納しておくことにより、ＣＰＵ８１は、携帯電話機１の動作モードを起動する処理を行うように構成することができる。例えばメール作成モード等の選択操作スイッチからの信号が入力されると、送信用電子メールの作成モードに移行させる等の処理を行うとともに、表示部４にメール作成画面の表示等を行わせるように構成することができる。
【００４３】
（動作の説明）
次に、本実施の形態の携帯電話機１の動作について詳細に説明する。本携帯電話機１の動作の概要は次の通りである。  
例えば、携帯電話機1の動作モードが撮影モードの通常距離撮影である場合には、カメラ２のレンズ２１のフォーカス位置は通常距離撮影用の位置となっている（図４（ａ）の状態）。
【００４４】
このときに、携帯電話機１の動作モードとして近接撮影選択スイッチ３４が操作されると、ＣＰＵ８１は近接撮影用フォーカスプログラム８２２に従って、レンズアクチュエータ２５を駆動制御することによりカメラ２のレンズ２１のフォーカス位置を近接撮影用位置に調節する。更にＣＰＵ８１はこの動作に連動して、バーコード認識用プログラム（要近接撮影モード用プログラム）８２１に従って、バーコード認識モード（要近接撮影モード）を起動する。
【００４５】
この結果、近接撮影選択スイッチ３４の操作により、自動的にバーコード認識モード（要近接撮影モード）を起動できるので、ユーザーは、カメラによる撮影後にバーコード読取スイッチ３４を操作することにより、直ちにバーコード認識操作を適切に行うことができる。
【００４６】
また、この近接撮影の状態でバーコード認識モード（要近接撮影モード）解除スイッチ３６が操作されると、バーコード認識モード（要近接撮影モード）を終了させることができ、バーコード認識等を行わない通常の近接撮影を行うことが可能である。
【００４７】
また、近接撮影のバーコード認識モード（要近接撮影モード）の状態で、通常距離撮影モードを選択するための通常距離撮影選択スイッチ３３が操作されると、ＣＰＵ８１は通常距離撮影用フォーカスプログラム８２３に従って、レンズアクチュエータ２５を駆動制御することによりカメラ２のレンズ２１のフォーカス位置を通常距離撮影用位置に調節する。ＣＰＵ８１はこの動作に連動して、バーコード認識用プログラム８２１を終了し、バーコード認識モードを解除する。
【００４８】
次に、図６〜図８に示す動作フロー図によりＣＰＵ８１が行う主要な制御を説明する。  
図６は、ＣＰＵ８１が行う主要な制御である近接撮影選択時の処理を示すフロー図である。この処理はバーコード認識モードでない場合に行われる処理である。
【００４９】
先ず、ステップＳ１１では、近接撮影が選択されたか否かを判定する。選択されていないと判定した場合（ステップＳ１１のＮｏ）、つまり、近接撮影選択スイッチ３４からの信号入力がなかった場合には当該制御フローを終了する。一方、選択されたと判定した場合（ステップＳ１１のＹｅｓ）、つまり、近接撮影選択スイッチ３４からの信号入力があった場合にはステップＳ１２に移行する。ステップＳ１２では、近接撮影用フォーカスプログラムを実行する。続くステップＳ１３では、バーコード認識用プログラム８２１を起動して当該処理を終了する。
【００５０】
図７は、ＣＰＵ８１が行う主要な制御である近接撮影におけるバーコード認識モードの解除時の処理を示すフロー図である。この処理はバーコード認識モードの場合に行われる処理である。
【００５１】
先ず、ステップＳ２１では、バーコード認識モードが選択解除されたか否かを判定する。解除が選択されていないと判定した場合（ステップＳ２１のＮｏ）、つまり、バーコード認識モード解除スイッチ３６からの信号入力がなかった場合には、当該制御フローを終了する。一方、選択解除されたと判定した場合（ステップＳ２１のＹｅｓ）、バーコード認識モード解除スイッチ３６からの信号入力があった場合にはステップＳ２２に移行する。ステップＳ２２では、バーコード認識用プログラム８２１を終了する。
【００５２】
図８は、ＣＰＵ８１が行う主要な制御である通常距離撮影選択時の処理を示すフロー図である。この処理は、近接撮影の場合に行われる処理である。
【００５３】
先ず、ステップＳ３１では、通常距離撮影が選択されたか否かを判定する。選択されていないと判定した場合（ステップＳ３１のＮｏ）、つまり、通常距離撮影選択スイッチ３３からの信号入力がなかった場合には当該制御フローを終了する。一方、選択されたと判定した場合（ステップＳ３１のＹｅｓ）、つまり、通常距離撮影選択スイッチ３３からの信号入力があった場合にはステップＳ３２に移行する。ステップＳ３２では、通常距離撮影用フォーカスプログラム８２３を実行する。続くステップＳ３３では、バーコード認識用プログラム８２１を終了する。
【００５４】
図９は、本実施の形態の携帯電話機１の近接撮影での利用形態を示す図である。ユーザーが撮影モードの近接撮影に切り替えると（Ｓ４１）、ＣＰＵ８１の認識／制御により（Ｓ４２）、自動的に要近接撮影用プログラムが起動し（Ｓ４３）、ユーザーによりバーコード認識等の機能が使用可能となる（Ｓ４４）。ユーザーが当該機能の使用後、通常距離撮影に切り替えると（Ｓ４５）、ＣＰＵ８１の認識／制御により（Ｓ４６）、要近接撮影モードが終了する（Ｓ４９）。また、ステップ４４でユーザーが当該機能の使用を終了し、通常の近接撮影を希望し要近接撮影の終了の操作を行うと（Ｓ４７）、ＣＰＵ８１の認識／制御により（Ｓ４８）、要近接撮影モードが終了する（Ｓ４９）。
【００５５】
図１０は、以上説明した第１の実施の形態の制御装置８を機能手段の組合せ又はハードウェア構成として示す図である。  
制御装置８は、画像から情報認識する機能である複数のモードの制御機能８１８を記憶し、その何れかを要近接撮影モード８１６として起動すべく選択されており、操作部３の操作スイッチによる入力により選択された要近接撮影モード８１６への移行又は解除の手段を有する。つまり、近接撮影選択スイッチ３４の入力により近接撮影用のフォーカス位置にカメラのレンズを設定する近接撮影フォーカス手段８１１と、近接撮影フォーカス手段８１１の動作により要近接撮影モード８１６を起動する要近接撮影モード起動手段８１２と、を備え、また、要近接撮影モードで要近接撮影モード解除スイッチ３６の入力により要近接撮影モード８１６を解除する要近接撮影モード解除手段８１３と、を備え、更に、通常距離撮影選択スイッチ３３の入力により通常距離撮影用のフォーカス位置にカメラのレンズを設定する通常距離撮影フォーカス手段８１４と、要近接撮影モード８１６を解除する要近接撮影モード解除手段８１５と、を備える。
【００５６】
（他の実施の形態）
以上の実施の形態では、近接撮影用フォーカスの設定に対しバーコード認識モードが連動して起動するように構成した例を示したが、第２の実施の形態として、この連動関係を機能設定スイッチ３１の操作により表示する設定画面により、予め連動関係を設定することを可能とし、連動／非連動の切り替えができるようにすると、近接撮影用フォーカスにおいて単に近接撮影を行う場合と、バーコード認識モードを頻繁に利用する場合とで使い分けが可能となり、使い勝手が向上する。
【００５７】
更に、この連動関係の設定では連動させるモードとしてバーコード認識モードに加え、ＯＣＲモード、図形等の認識モード等、複数のモードを選択可能とし、ユーザーのそれぞれのモードの利用状況により、予め事前に設定画面で選択設定するように構成すると一層の利便性が図れる。
【００５８】
図１１は、第２の実施の形態の制御装置８を機能手段の組合せ又はハードウェア構成として示す図である。
【００５９】
図１０に示す構成に加えて、操作部３の機能設定スイッチ３１等の入力により、連動／非連動に加え、制御機能８１９の複数のモードをメニュー画面に表示し、ユーザーが予め選択して設定する連動設定手段８１９を備える。
【００６０】
また、第３の実施の形態として、第１の実施の形態の近接撮影用フォーカスの動作中又は完了時に、バーコード認識モード、ＯＣＲモード、図形等の認識モード等、複数のモードを選択可能な選択画面を自動的に表示し、何れかを選択可能とすることにより、第２の実施の形態の機能設定スイッチ３１の操作に代えて近接撮影用フォーカスへの設定毎に所望の機能モードを適宜選択することを可能に構成すると好適である。
【００６１】
図１２は、第３の実施の形態の制御装置８を機能手段の組合せ又はハードウェア構成として示す図である。
【００６２】
図１１に示す構成に加えて、近接撮影選択スイッチ３４の入力による近接撮影用のフォーカス位置にカメラのレンズを設定する近接撮影フォーカス手段８１１の動作により、連動／非連動の選択を含め、制御機能８１９の複数のモードをメニュー画面に表示し、ユーザーが操作部から適宜選択して設定した後に、要近接撮影モードを起動する要近接撮影モード起動手段８１２を動作させるメニュー設定手段８２０を備える。
【００６３】
以上の実施の形態においては、近接撮影及び通常距離撮影用フォーカスの選択をスイッチ操作により動作を開始するソフトウェアにより実行する例を説明したが、この動作は補助レンズの装着、手動切り替え等による構成とすることができる。この際のフォーカス動作の開始、及びバーコード認識モードへの連動動作の起動制御においては、スイッチ操作、連動起動を所定の遅延処理後に行うようにすると、スイッチのオンオフ等による誤起動を防止することが可能である。
【００６４】
また、上記の実施の形態では、バーコード認識モードの解除操作として、バーコード認識モード解除スイッチ３６の操作を例示したが、これに限らず、例えば、他のモードの選択操作を解除操作に利用することができる。具体的には、例えば、撮影モード選択スイッチ３４、スイッチメール作成用の選択スイッチ等の他の選択スイッチを解除操作として利用することができる。
【００６５】
また、以上の実施の形態では、本発明に係るカメラ付き電子機器の一例として、携帯電話機１について説明したが、本発明はこれに限らず、カメラ付き電子機器としては、例えば、ＰＨＳ（Personal Handy Phone System）、携帯型情報通信端末（ＰＤＡ：Personal Digital Assistant）等の携帯情報端末装置、その他、小型の家電製品（例えば、家庭用電話機の子機、電卓等）等にも適用可能である。
【００６６】
なお、以上の実施の形態においては、簡単のため、１つのスイッチ操作で１つの機能選択が可能な例を説明したが、例えば、複数のスイッチ操作の組み合わせ、カーソルキー等の併用により機能選択を行う構成とすることができることは云うまでもない。
【図面の簡単な説明】
【００６７】
【図１】本発明のカメラ付き電子機器の一例としての携帯電話機を背面側の外観を示す図である。
【図２】本携帯電話機の前面側を示す斜視図である
【図３】携帯電話機における主要な制御ブロック図である。
【図４】カメラの構成を説明するための概略断面図である。
【図５】ＲＯＭ内に格納されたプログラムの種類を示す図である。
【図６】ＣＰＵ８１が行う主要な制御である近接撮影選択時の処理を示すフロー図である。
【図７】ＣＰＵ８１が行う主要な制御である近接撮影におけるバーコード認識モードの解除時の処理を示すフロー図である。
【図８】ＣＰＵ８１が行う主要な制御である通常距離撮影選択時の処理を示すフロー図である。
【図９】本実施の形態の携帯電話機１の近接撮影での利用形態を示す図である。
【図１０】第１の実施の形態の制御装置８を機能手段の組合せ又はハードウェア構成として示す図である。
【図１１】第２の実施の形態の制御装置８を機能手段の組合せ又はハードウェア構成として示す図である。
【図１２】第３の実施の形態の制御装置８を機能手段の組合せ又はハードウェア構成として示す図である。
【符号の説明】
【００６８】
１  携帯電話機（カメラ付き電子機器）
２  カメラ
２１  レンズ
３  操作部
８  制御装置
【図１】
2005136623.tif 000003
【図２】
2005136623.tif 000004
【図３】
2005136623.tif 000005
【図４】
2005136623.tif 000006
【図５】
2005136623.tif 000007
【図６】
2005136623.tif 000008
【図７】
2005136623.tif 000009
【図８】
2005136623.tif 000010
【図９】
2005136623.tif 000011
【図１０】
2005136623.tif 000012
【図１１】
2005136623.tif 000013
【図１２】
2005136623.tif 000014